(57)【要約】【課題】残留している薬液と補充される新品の薬液とが混合することのない薬液貯留槽を提供すること。【解決手段】薬液の充填手段と薬液の排出手段とを備えた薬液貯留槽１０であって、薬液貯留槽１０は隔壁３によって、上部の薬液補充室１と下部の薬液貯蔵室２とに区分されており、薬液補充室１は薬液充填手段１２を備えており、薬液貯蔵室２は薬液排出手段１３を備えており、薬液補充室１の底部と薬液貯蔵室２の底部とは開閉弁９を備えた連結管８によって連結されており、薬液補充室１及び薬液貯蔵室２には薬液の液位を計測するための液位計測手段４、４‘が設けられていることを特徴とする薬液貯留槽。【選択図】図１
2016108025.tif 000002
【特許請求の範囲】
【請求項１】
薬液の充填手段と薬液の排出手段とを備えた薬液貯留槽であって、
前記薬液貯留槽は隔壁によって、上部の薬液補充室と下部の薬液貯蔵室とに区分されており、
前記薬液補充室は薬液充填手段を備えており、
前記薬液貯蔵室は薬液排出手段を備えており、
前記薬液補充室の底部と前記薬液貯蔵室の底部とは開閉弁を備えた連結管によって連結されており、
前記薬液補充室及び薬液貯蔵室には薬液の液位を計測するための液位計測手段が設けられている
ことを特徴とする薬液貯留槽。
【請求項２】
前記隔壁が円錐状であることを特徴とする請求項１に記載の薬液貯留槽。
【請求項３】
前記隔壁が平板状で、前記薬液補充室の連結管の開口部側に向かって下方に傾斜する勾配を有していることを特徴とする請求項１に記載の薬液貯留槽。
【請求項４】
前記薬液貯蔵室の底面が前記薬液排出手段に向かって下方に傾斜する勾配を有していることを特徴とする請求項１〜３のいずれかに記載の薬液貯留槽。
【請求項５】
請求項１〜４のいずれか１項に記載の薬液貯留槽を用い、
前記薬液補充室の液位計測手段が前記薬液補充室内に残留する薬液の液位が所定値以下となったことを示したときに、前記開閉弁を閉止する工程、
前記薬液補充室に新しい薬液を補充する工程、
前記薬液貯蔵室の液位計測手段が前記薬液貯蔵室内に残留する薬液の液位が所定値以下となったことを示したときに、前記開閉弁を開放して、前記薬液貯蔵室内の薬液を前記薬液貯蔵室内に送液する工程、
をこの順に有することを特徴とする薬液貯留槽の薬液補充方法。
【発明の詳細な説明】
【技術分野】
【０００１】
本発明は、薬液貯留槽及びこの薬液貯留槽への薬液補充方法に関する。
【背景技術】
【０００２】
従来、上水処理施設及び下水処理施設などの水処理施設においては運転に際して、被処理水や被処理汚泥に酸、アルカリ、次亜塩素酸ソーダなどの酸化剤、殺菌剤等の薬液を添加するために薬液を貯留する薬液貯留槽を設けている。
【０００３】
ところで、薬液の種類によっては長期の保管などによって劣化したり、人体に悪影響を及ぼす副生成物を生成したりすることがある。従って、容量の大きい薬液貯留槽を使用してこれに多量の薬液を貯留すると、使用されない薬液が長期にわたって薬液貯留槽に貯留されて劣化が進むこととなり好ましくない。このため、例えば浄水場などにおける薬液貯蔵設備は、使用量を考慮してその容量が設定されており、定期的に薬液を補充することによって必要な使用量を確保することが行われている。
【０００４】
また、浄水場などでは薬液の注入は間断なく行われているため、貯留槽内には常に一定量の薬液が貯留していることが必要である。従って、薬液貯留槽への薬液の補充は貯留槽内に薬液が一定量残留した状態で行うことになる。
特許文献１には薬液貯留槽に薬液を補充することについては記載があるが、薬液貯留槽に直接補充用の薬液を供給するというものである。しかしながら、貯留槽内の薬液は劣化している場合があり、このような劣化した薬液を貯留した貯留槽に新しい薬液を補充すると貯留槽内の薬液全体の品質が劣化するため、好ましくない。
【０００５】
また、特許文献２には液体補充用のタンクとして複数の液体用コンテナを用い、これを多段に積み重ねて、上にあるコンテナの排出口を下にあるコンテナの充填口に接続し、最下段のコンテナの排出口を貯蔵タンクにポンプを介して連結することにより、液体が消費されると上段のコンテナが空になるようにし、空のコンテナを新たなコンテナと交換することが記載されている。しかしながら、これは薬液貯留槽に関するものではなく、薬液貯留槽に薬液を補充するための液体保管用又は運搬用の液体コンテナに関するものである。特許文献２に記載のものにおいても、劣化した薬液を貯留した薬液貯留槽に新しい薬液を補充することにより薬液貯留槽内の薬液全体の品質が劣化するという問題はある。
【先行技術文献】
【特許文献】
【０００６】
【特許文献１】特開２００１−７９３６２号公報
【特許文献２】特開２０００−２５７６８号公報
【発明の概要】
【発明が解決しようとする課題】
【０００７】
本発明は、薬液貯留槽において、残留している薬液と補充される新品の薬液とが混合することのない薬液貯留槽を提供することを目的とする。
【課題を解決するための手段】
【０００８】
本発明者らは、上記の課題は、薬液貯留槽が新品の薬液を補充する薬液補充室と、薬液補充室から薬液の補充を受けて貯留して薬液を使用に供する薬液貯蔵室とに分けることによって上記の課題を解決することができることを見出して本発明をなすに至った。
すなわち、本発明の構成は次に記載する通りのものである。
【０００９】
（１）薬液の充填手段と薬液の排出手段とを備えた薬液貯留槽であって、
前記薬液貯留槽は隔壁によって、上部の薬液補充室と下部の薬液貯蔵室とに区分されており、
前記薬液補充室は薬液充填手段を備えており、
前記薬液貯蔵室は薬液排出手段を備えており、
前記薬液補充室の底部と前記薬液貯蔵室の底部とは開閉弁を備えた連結管によって連結されており、
前記薬液補充室及び薬液貯蔵室には薬液の液位を計測するための液位計測手段が設けられている
ことを特徴とする薬液貯留槽。
（２）前記隔壁が円錐状であることを特徴とする上記（１）に記載の薬液貯留槽。
（３）前記隔壁が平板状で、前記薬液補充室の連結管の開口部側に向かって下方に傾斜する勾配を有していることを特徴とする上記（１）に記載の薬液貯留槽。
（４）前記薬液貯蔵室の底面が前記薬液排出手段に向かって下方に傾斜する勾配を有していることを特徴とする上記（１）〜（３）のいずれかに記載の薬液貯留槽。
（５）上記（１）〜（４）のいずれかに記載の薬液貯留槽を用い、
前記薬液補充室の液位計測手段が前記薬液補充室内に残留する薬液の液位が所定値以下となったことを示したときに、前記開閉弁を閉止する工程、
前記薬液補充室に新しい薬液を補充する工程、
前記薬液貯蔵室の液位計測手段が前記薬液貯蔵室内に残留する薬液の液位が所定値以下となったことを示したときに、前記開閉弁を開放して、前記薬液貯蔵室内の薬液を前記薬液貯蔵室内に送液する工程、
をこの順に有することを特徴とする薬液貯留槽の薬液補充方法。
【発明の効果】
【００１０】
本発明によれば、薬液貯留槽内に補充された新しい薬液と薬液貯留槽内に残留している薬液とが混合するのを防ぎ、補充された薬液の品質が劣化するのを防ぐことができる。
【図面の簡単な説明】
【００１１】
【図１】本発明の実施形態に係る薬液貯留槽の構造を示す図である。
【図２】本発明の実施形態に係る薬液貯留槽の薬液充填後の状態を示す図である。
【図３】本発明の実施形態に係る薬液貯留槽の薬液補充方法を示す図である。
【図４】本発明の実施形態に係る薬液貯留槽の構造を示す図である。
【図５】本発明の実施形態に係る薬液貯留槽の構造を示す図である。
【発明を実施するための形態】
【００１２】
本発明の薬液貯留槽は隔壁によって上下二つの貯留室に分けられている。
上部の貯留室は薬液が外部から補充され、薬液を下部の貯留室に供給するためのものである。
本発明では上部の貯留室を薬液補充室という。
下部の貯留室は所要箇所に薬液を注入するためのものであり、本発明ではこれを薬液貯蔵室という。
薬液補充室には薬液補充室内の液位を計測する手段が設けられており、薬液補充室の残量が設定値以下となったときに薬液補充室に薬液が供給される。
また、薬液貯蔵室には薬液の残量を計測する手段が設けられており、薬液貯蔵室内の薬液の残量が設定量を以下となったときに、薬液補充室から薬液貯蔵室内に薬液を補充する。
【００１３】
上記のようにすることによって、薬液補充室に補充された新品の薬液が貯留中に薬液貯蔵室内に貯蔵されている薬液と混合することがないため、新品の薬液が混合によって劣化するのを防ぐことができる。また、新品の薬液は常時薬液貯蔵室の上部に貯留されているため、薬液の補充の遅れによって薬品注入が停止することがない。
【００１４】
本発明の実施形態の薬液貯留槽の構造を図１に基づいて説明する。
薬液貯留槽１０は隔壁３によって上部の薬液補充室１と下部の薬液貯蔵室２とに区分されている。
薬液補充室１には液位計４が設けられている。図示した液位計４は電極ホルダーに複数の長さの異なる電極棒５を取り付け、液位の上昇又は下降により長さの異なる電極棒の下端が液に接し、又は離れることを利用して液面に接した各電極棒５の間の液絡による電気的導通によって液面の位置を検知するものである。
【００１５】
薬液補充室１には薬液供給管１２が設けられている。また、薬液補充室１には薬液の受け入れ及び薬液の排出を容易にするために薬液補充室１内を大気圧下とする空気抜き管６が設けられている。
薬液貯蔵室２には薬液排出管１３と、前記液位計４と同様の液位計４’が設けられている。また、薬液貯蔵室２には薬液貯蔵室２への薬液の受け入れ及び薬液貯蔵室２からの薬液の排出を容易にするために薬液貯蔵室２内を大気圧下とする空気抜き管６’が設けられている。
【００１６】
薬液補充室１と薬液貯蔵室２とは連結管８が設けられており、連結管８には開閉弁９が設けられている。薬液補充室１から薬液貯蔵室２に薬液を補充する時には開閉弁９を開放することによって薬液補充室１から薬液貯蔵室２に薬液を流入させる。また、薬液補充室１内に薬液を補充する時及び薬液貯蔵室２内に薬液が残留している時には開閉弁９は閉止される。
【００１７】
図２は薬液貯留槽１０の使用を開始するに際して、図１に示した薬液貯留槽１０の薬液補充室１と薬液貯蔵室２を新品の薬液で満たした状態を示している。
なお、以下に示す図２〜５では薬液供給管１２、及び空気抜き管６、液位計４’は図示を省略する。
図３は薬液貯蔵室２内の薬液の残留量が減少した時に薬液補充室１から薬液貯蔵室２に薬液を補充する時の薬液補充方法を工程順に示した図である。
なお、図３では薬液補充室１内の薬液の色と薬液貯蔵室２内の薬液の色を異なる色で示した。
【００１８】
図２に示した薬液貯留槽１０は運転を続けていくと図３Ａに示すように薬液補充室１内の液面が低下してくる。そして、液位計４が設定レベルまで液面が低下したことを検知すると開閉弁９が閉じられる。
次いで、図３Ｂに示すように薬液補充室１に外部から補充用薬液１１が供給されて薬液補充室１が薬液によって満たされる。このとき開閉弁９は閉じられたままである。
この状態で更に運転を続けると図３Ｃに示すように薬液貯蔵室２内の薬液が消費されて残量が少なくなり、液位が低下する。
薬液貯蔵室２内の薬液の液位が所定のレベルまで低下したとき、図３Ｄに示すように連結管８の開閉弁９を開放して薬液補充室１内の新しい薬液を薬液貯蔵室２内に補充する。
薬液貯蔵室２の薬液の液位は薬液補充室１において用いた液位計４と同様のものが使用できる。
【００１９】
上記の実施形態では電極を検知手段として自動的に液位を検知する液位計を使用したが、液位を計測することができるものであれば他の計測手段を用いても良いし、目視で検知できるようにしても良い。
例えば、薬液補充室１及び薬液貯蔵室２の液位に応じて浮上降下するフロートを設けたフロート式液位計を設けて、液位を目視で確認するようにしても良い。
また、開閉弁９の開閉は自動で行っても良いし、手動で行っても良い。
【００２０】
薬液貯留槽１０の形状は円筒形でも良いし、角筒形でもよく、また、他の形状でもよい。
隔壁３の形状は、薬液量が少なくなったときに連結管８の開口部に薬液が集まるような形状とすることが好ましい。
例えば、図４に示すように薬液貯留槽１０の形状が円筒形の場合、隔壁は円錐状のものとすることができる。図４Ａは薬液貯留槽１０の断面図であり、図４Ｂは図４Ａにおける薬液貯留槽１０のＸ−Ｘ断面図である。
また、図５に示すように薬液貯留槽１０の形状が角筒形の場合、隔壁が平板状で、薬液補充室の連結管８の開口部側に向かって下方に傾斜する勾配を有するようにすることができる。図５Ａは薬液貯留槽１０の断面図であり、図５Ｂは図５Ａにおける薬液貯留槽１０のＸ−Ｘ断面図である。
隔壁を前記の形状とすることによって薬液量が少なくなった時、薬液は隔壁の周縁部に集まって連結管８から排出されるので、薬液補充室１内に滞留することがない。
【００２１】
薬液貯蔵室２の底面は薬液排出管に向かって傾斜する勾配７を設けることが好ましい。このような勾配を設けることにより薬液が薬液貯蔵室内において滞留して劣化することがない。
薬液補充室１の容量は薬液貯蔵室２への一回の薬液補充操作で薬液貯蔵室２を薬液で充満することができるだけの容量以上であることが好ましい。
【符号の説明】
【００２２】
１  薬液補充室
２  薬液貯蔵室
３  隔壁
４、４‘  液位計
５、５‘  電極棒
６、６’  空気抜き管
７  勾配
８  連結管
９  開閉弁
１０  薬液貯留槽
１１  補充用薬液
１２  薬液供給管
１３  薬液排出管
Ｐ  ポンプ
【図１】
2016108025.tif 000003
【図２】
2016108025.tif 000004
【図３】
2016108025.tif 000005
【図４】
2016108025.tif 000006
【図５】
2016108025.tif 000007